【手続補正書】
【提出日】平成21年1月30日(2009.1.30)
【手続補正１】
【補正対象書類名】特許請求の範囲
【補正対象項目名】全文
【補正方法】変更
【補正の内容】
【特許請求の範囲】
【請求項１】
ジョブに関する設定を行うための設定画面を表示する表示手段と、
実行されたジョブ毎に、各ジョブに関する設定を示す設定情報が含まれる履歴を記憶する履歴記憶手段と、
前記履歴記憶手段に記憶される履歴の中から何れかを選択する選択手段と、
前記選択手段により選択された履歴に含まれる設定情報によって示される設定を行うための一連の設定画面を、前記表示手段に順に表示させる表示制御手段と、
を備えることを特徴とする画像形成装置。
【請求項２】
各設定情報に対応する設定画面情報を記憶する画面情報記憶手段と、
前記選択手段によって選択された履歴に含まれる設定情報に対応する設定画面情報を前記画面情報記憶手段から特定し、特定された設定画面情報に含まれる表示順序情報に基づいて、一連の設定画面の表示順序を特定し、表示情報を生成する生成手段を更に有し、
前記表示制御手段は、前記生成手段で生成された表示情報に基づいて、一連の設定画面を前記表示手段に順に表示させることを特徴とする請求項１記載の画像形成装置。
【請求項３】
前記表示制御手段によって前記表示手段に表示された設定画面毎に、該設定画面上での設定情報の変更を受け付け、設定情報の変更を可能にする設定変更手段を備えることを特徴とする請求項１または２に記載の画像形成装置。
【請求項４】
前記選択手段は、前記選択候補となる履歴として、正常終了したジョブの履歴の一覧を抽出することを特徴とする請求項１ないし３のいずれか１つに記載の画像形成装置。 
【請求項５】
実行すべきジョブの種類を選択するジョブ種選択手段を備え、 
前記選択手段は、前記選択候補となる履歴として、前記ジョブ種選択手段により選択されたジョブの種類と同一種類のジョブの履歴を抽出することを特徴とする請求項１ないし４のいずれかの１つに記載の画像形成装置。
【請求項６】
実行されたジョブ毎にその設定情報が含まれる履歴を記憶する履歴記憶手段と、 
前記履歴記憶手段から選択された履歴に含まれる設定情報が示す設定を再現するための一連の設定画面およびその遷移順序を、マクロとして登録するマクロ登録手段と、
前記履歴記憶手段から選択候補として抽出された履歴の一覧と前記マクロ登録手段から選択候補として抽出されたマクロの一覧とを同一画面上に表示する表示手段と、
を備えることを特徴とする画像形成装置。
【請求項７】
前記表示手段の前記同一画面上に表示された前記履歴の一覧と前記マクロの一覧とから、１つの履歴またはマクロを選択する選択手段を備えることを特徴とする請求項６記載の画像形成装置。 
【請求項８】
ジョブに関する設定を行うための設定画面を表示する表示手段および実行されたジョブ毎に、各ジョブに関する設定を示す設定情報が含まれる履歴を記憶する履歴記憶手段を備える画像形成装置の制御方法であって、
前記履歴記憶手段に記憶される履歴の中から何れかを選択する選択工程と、
前記選択工程で選択された履歴に含まれる設定情報によって示される設定を行うための一連の設定画面を、前記表示手段に順に表示させる表示制御工程と、
を備えることを特徴とする画像形成装置の制御方法。
【請求項９】
実行されたジョブ毎にその設定情報が含まれる履歴を記憶する履歴記憶手段およびマクロ記憶手段を備える画像形成装置の制御方法であって、
前記履歴記憶手段から選択された履歴に含まれる設定情報が示す設定を再現するための一連の設定画面およびその遷移順序を、マクロとして前記マクロ記憶手段に登録するマクロ登録工程と、
前記履歴記憶手段から選択候補として抽出された履歴の一覧と前記マクロ記憶手段から選択候補として抽出されたマクロの一覧とを同一画面上に表示する表示工程と、
を備えることを特徴とする画像形成装置の制御方法。
【請求項１０】
ジョブに関する設定を行うための設定画面を表示する表示手段および実行されたジョブ毎に、各ジョブに関する設定を示す設定情報が含まれる履歴を記憶する履歴記憶手段を備える画像形成装置を制御するためのプログラムであって、
前記履歴記憶手段に記憶される履歴の中から何れかを選択する選択ステップと、
前記選択ステップで選択された履歴に含まれる設定情報によって示される設定を行うための一連の設定画面を、前記表示手段に順に表示させる表示制御ステップと、
をコンピュータにより実行させることを特徴とするプログラム。 
【請求項１１】
実行されたジョブ毎にその設定情報が含まれる履歴を記憶する履歴記憶手段およびマクロ記憶手段を備える画像形成装置を制御するためのプログラムであって、
前記履歴記憶手段から選択された履歴に含まれる設定情報が示す設定を再現するための一連の設定画面およびその遷移順序を、マクロとして前記マクロ記憶手段に登録するマクロ登録ステップと、
前記履歴記憶手段から選択候補として抽出された履歴の一覧と前記マクロ記憶手段から選択候補として抽出されたマクロの一覧とを同一画面上に表示する表示ステップと、
をコンピュータにより実行させることを特徴とするプログラム。 
【手続補正２】
【補正対象書類名】明細書
【補正対象項目名】発明の名称
【補正方法】変更
【補正の内容】
【発明の名称】画像形成装置、その制御方法およびプログラム
【手続補正３】
【補正対象書類名】明細書
【補正対象項目名】０００１
【補正方法】変更
【補正の内容】
【０００１】
本発明は、各ジョブに関する設定を示す設定情報が含まれる履歴を用いてこのジョブの設定情報を表示することが可能な画像形成装置、その制御方法およびプログラムに関する。
【手続補正４】
【補正対象書類名】明細書
【補正対象項目名】０００７
【補正方法】変更
【補正の内容】
【０００７】
本発明の目的は、設定操作を習熟していないユーザでも、ジョブに関する設定を簡単に行うことができる画像形成装置、その制御方法およびプログラムを提供することにある。
【手続補正５】
【補正対象書類名】明細書
【補正対象項目名】０００８
【補正方法】変更
【補正の内容】
【０００８】
本発明は、上記目的を達成するため、ジョブに関する設定を行うための設定画面を表示する表示手段と、実行されたジョブ毎に、各ジョブに関する設定を示す設定情報が含まれる履歴を記憶する履歴記憶手段と、前記履歴記憶手段に記憶される履歴の中から何れかを選択する選択手段と、前記選択手段により選択された履歴に含まれる設定情報によって示される設定を行うための一連の設定画面を、前記表示手段に順に表示させる表示制御手段と、を備えることを特徴とする画像形成装置を提供する。
【手続補正６】
【補正対象書類名】明細書
【補正対象項目名】０００９
【補正方法】変更
【補正の内容】
【０００９】
本発明は、上記目的を達成するため、実行されたジョブ毎にその設定情報が含まれる履歴を記憶する履歴記憶手段と、 前記履歴記憶手段から選択された履歴に含まれる設定情報が示す設定を再現するための一連の設定画面およびその遷移順序を、マクロとして登録するマクロ登録手段と、前記履歴記憶手段から選択候補として抽出された履歴の一覧と前記マクロ登録手段から選択候補として抽出されたマクロの一覧とを同一画面上に表示する表示手段と、を備えることを特徴とする画像形成装置を提供する。
【手続補正７】
【補正対象書類名】明細書
【補正対象項目名】００１０
【補正方法】変更
【補正の内容】
【００１０】
本発明は、上記目的を達成するため、ジョブに関する設定を行うための設定画面を表示する表示手段および実行されたジョブ毎に、各ジョブに関する設定を示す設定情報が含まれる履歴を記憶する履歴記憶手段を備える画像形成装置の制御方法であって、前記履歴記憶手段に記憶される履歴の中から何れかを選択する選択工程と、前記選択工程で選択された履歴に含まれる設定情報によって示される設定を行うための一連の設定画面を、前記表示手段に順に表示させる表示制御工程と、を備えることを特徴とする画像形成装置の制御方法を提供する。
【手続補正８】
【補正対象書類名】明細書
【補正対象項目名】００１１
【補正方法】変更
【補正の内容】
【００１１】
本発明は、上記目的を達成するため、実行されたジョブ毎にその設定情報が含まれる履歴を記憶する履歴記憶手段およびマクロ記憶手段を備える画像形成装置の制御方法であって、前記履歴記憶手段から選択された履歴に含まれる設定情報が示す設定を再現するための一連の設定画面およびその遷移順序を、マクロとして前記マクロ記憶手段に登録するマクロ登録工程と、前記履歴記憶手段から選択候補として抽出された履歴の一覧と前記マクロ記憶手段から選択候補として抽出されたマクロの一覧とを同一画面上に表示する表示工程と、を備えることを特徴とする画像形成装置の制御方法を提供する。
【手続補正９】
【補正対象書類名】明細書
【補正対象項目名】００１２
【補正方法】変更
【補正の内容】
【００１２】
本発明は、上記目的を達成するため、上記画像形成装置の制御方法を実現するためのプログラムを提供する。